(57)【特許請求の範囲】
【請求項１】
レンズ装置から入射された光学像を受光する撮像素子と；
前記撮像素子を支持する支持基板と；
前記支持基板が装着される装着部を有するホルダと；
を備え，
前記ホルダの装着部または前記支持基板に形成された凹凸により，前記ホルダに対する前記支持基板の光軸方向の取り付け位置を，前記撮像素子の受光面が前記光学像の結像位置に合致するように位置決めし、
前記ホルダの装着部には、第１支持基板と、前記撮像素子の厚み及び／又は受光面位置に応じ、該第１支持基板とは異なる種類の第２支持基板とが選択的に装着可能であって、
前記ホルダに対する前記第１支持基板の取り付け位置と、前記ホルダに対する前記第２支持基板の取り付け位置が、光軸方向において異なることを特徴とする，カメラ装置。
【請求項２】
前記位置決めは，前記ホルダの装着部に形成された凸部と，該凸部を避けるように前記支持基板に形成された切り欠きまたは貫通孔との組み合わせにより行われることを特徴とする，請求項１に記載のカメラ装置。
【請求項３】
前記ホルダの装着部には，前記ホルダの装着部に形成された凸部を避けるように形成された切り欠きまたは貫通孔を有する前記第１支持基板と，前記切り欠きまたは前記貫通孔を有しない前記第２支持基板とを選択的に装着可能であることを特徴とする，請求項２に記載のカメラ装置。
【請求項４】
請求項１から３のいずれか一項に記載のカメラ装置を備える撮像装置。
【発明の詳細な説明】
【技術分野】
【０００１】
本発明は，カメラ装置および撮像装置に関し，特に，光軸方向の厚みや結像位置の異なる撮像素子を使用可能なカメラ装置およびこれを備える撮像装置に関する。
【背景技術】
【０００２】
一般に，レンズ装置から射出された光学像の結像位置については，ダミーガラスやＩＲカットフィルタ，ＣＣＤなどの撮像素子の表面を保護するカバーガラスなどの光学ガラス厚の合計と屈折率が同じであれば，その結像位置も同じ位置となる。
【０００３】
また，ＣＣＤなどの撮像素子やダミーガラス，カバーガラスなどの光学ガラスは，カメラ装置に備えられた撮像素子ホルダ内に保持されるが，同じ撮像素子ホルダ内に，光軸方向の厚みや結像位置の異なる撮像素子を保持しようとする場合には，レンズ装置から射出された光学像を受光する撮像素子の受光面の光軸方向の位置がずれてしまうため，撮像素子の受光面と光学像の結像位置が合致しなくなってしまう。
【０００４】
そのため，従来は，光軸方向の厚みや結像位置の異なる撮像素子を用いる場合には，それぞれの撮像素子に対応して形成された専用の撮像素子ホルダを使用する必要があった（例えば，特許文献１を参照）。
【０００５】
【特許文献１】特開２００５−３２６７７７号公報
【発明の開示】
【発明が解決しようとする課題】
【０００６】
しかしながら，光軸方向の厚みや結像位置の異なる複数の撮像素子ごとに専用の撮像素子ホルダを製作すると，型代などの費用が多く発生し，コスト高となるという問題があった。
【０００７】
そこで，本発明は，このような問題に鑑みてなされたもので，その目的は，同一の撮像素子ホルダ内に光軸方向の厚みや結像位置の異なる複数の撮像素子を保持しても，撮像素子の受光面の位置をレンズ装置からの光学像の結像位置に合致させることが可能な，新規かつ改良されたカメラ装置およびこれを備える撮像装置を提供することにある。
【課題を解決するための手段】
【０００８】
上記課題を解決するために，本発明のある観点によれば，レンズ装置から入射された光学像を受光する撮像素子と，撮像素子を支持する支持基板と，支持基板が装着される装着部を有するホルダと，を備えるカメラ装置が提供される。このカメラ装置は，ホルダの装着部または支持基板に形成された凹凸により，ホルダに対する支持基板の光軸方向の取り付け位置を，撮像素子の受光面が光学像の結像位置に合致するように位置決めする。ホルダの装着部には、第１支持基板と、撮像素子の厚み及び／又は受光面位置に応じ、第１支持基板とは異なる種類の第２支持基板とが選択的に装着可能である。ホルダに対する第１支持基板の取り付け位置と、ホルダに対する第２支持基板の取り付け位置が、光軸方向において異なっている。
【０００９】
かかる構成を有することにより，同一の撮像素子ホルダ内に光軸方向の厚みや結像位置の異なる複数の撮像素子を保持しても，撮像素子の受光面の位置をレンズ装置からの光学像の結像位置に合致させることができるので，光軸方向の厚みや結像位置の異なる複数の撮像素子ごとに専用の撮像素子ホルダを製作する必要がなく，型代などの費用も低く抑えられ，コストを削減することができる。
【００１１】
また，上記カメラ装置において，支持基板の位置決めは，ホルダの装着部に形成された凸部と，該凸部を避けるように支持基板に形成された切り欠きまたは貫通孔との組み合わせにより行われるようにしてもよい。
【００１２】
また，上記ホルダの装着部には，ホルダの装着部に形成された凸部を避けるように形成された切り欠きまたは貫通孔を有する第１支持基板と，この切り欠きまたは貫通孔を有しない第２支持基板とを選択的に装着可能であるようにしてもよい。
【００１３】
上記課題を解決するために，本発明の別の観点によれば，上述したカメラ装置を備える撮像装置が提供される。
【発明の効果】
【００１４】
本発明によれば，カメラ装置およびこれを備える撮像装置において，同一の撮像素子ホルダ内に，光軸方向の厚みや結像位置の異なる複数の撮像素子を保持しても，撮像素子の受光面の位置をレンズ装置からの光学像の結像位置に合致させることができる。したがって，光軸方向の厚みや結像位置の異なる複数の撮像素子ごとに専用の撮像素子ホルダを製作する必要がなく，型代などの費用も低く抑えられ，コストを削減することができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
（第１の実施形態）
まず，図１に基づいて，本発明の第１の実施形態に係る撮像装置１０の構成について説明する。なお，図１は，本実施形態に係る撮像装置１０の全体構成を示す断面図である。
【００１７】
図１に示すように，撮像装置１０は，カメラ装置１００と，カメラ装置１００に着脱可能なレンズ装置２００とからなる。
【００１８】
カメラ装置１００は，レンズ装置２００から射出された光学像を受光する撮像素子の一例としての第１ＣＣＤ１１０Ａまたは第２ＣＣＤ１１０Ｂと，第１ＣＣＤ１１０Ａまたは第２ＣＣＤ１１０Ｂの表面を保護するカバーガラス１２０と，ダミーガラス１３０と，第１ＣＣＤ１１０Ａまたは第２ＣＣＤ１１０Ｂとダミーガラス１３０との間に配置された第１スペーサ１４０Ａまたは第２スペーサ１４０Ｂと，第１ＣＣＤ１１０Ａまたは第２ＣＣＤ１１０Ｂ，ダミーガラス１３０および第１スペーサ１４０Ａまたは第２スペーサ１４０Ｂを保持するホルダ１５０と，第１ＣＣＤ１１０Ａまたは第２ＣＣＤ１１０Ｂが取り付けられた第１ＣＣＤ支持基板１６０Ａまたは第２ＣＣＤ支持基板１６０Ｂと，を主に備える。
【００１９】
ホルダ１５０内においては，ダミーガラス１３０，第１スペーサ１４０Ａ（または第２スペーサ１４０Ｂ）および第１ＣＣＤ１１０Ａ（または第２ＣＣＤ１１０Ｂ）が，カメラ装置１００の前側（レンズ装置２００側）から順に，光軸Ｐ方向に沿って並んで配置されている。また，ダミーガラス１３０は，ホルダ１５０内において，第１スペーサ１４０Ａ（または第２スペーサ１４０Ｂ）とホルダ１５０の前端部とにより挟持されることにより保持または接着にて保持されている。
【００２０】
本実施形態においては，ホルダ１５０内に保持可能なＣＣＤなどの撮像素子として，光軸Ｐ方向の厚みが異なる２種類の第１ＣＣＤ１１０Ａおよび第２ＣＣＤ１１０Ｂを選択的に使用することができる。また，上記２種類の第１ＣＣＤ１１０Ａ，第２ＣＣＤ１１０Ｂに応じて，２種類の第１スペーサ１４０Ａ，第２スペーサ１４０Ｂ，および２種類の第１ＣＣＤ支持基板１６０Ａ，第２ＣＣＤ支持基板１６０Ｂが使用される。なお，図１（ａ）は，光軸Ｐ方向の厚みの薄い第１ＣＣＤ１１０Ａを使用した場合を示しており，図１（ｂ）は，光軸Ｐ方向の厚みの厚い第２ＣＣＤ１１０Ｂを使用した場合を示している。図１（ｂ）に示すように，第２ＣＣＤ１１０Ｂを使用する場合には，第２ＣＣＤ基板１６０Ｂは，凸部１５４（１５５）上に載置される。
【００２１】
レンズ装置２００は，レンズ鏡胴２１０内に，複数の，例えば２枚の光学レンズ２２２，２２４が光軸Ｐ方向に並んで配置され，レンズ光学系を構成している。このレンズ装置２００から射出された光学像は，第１ＣＣＤ１１０Ａ（または第２ＣＣＤ１１０Ｂ）により受光され，焦点位置Ｆで結像する。本実施形態においては，この焦点位置Ｆが，第１ＣＣＤ１１０Ａ（または第２ＣＣＤ１１０Ｂ）の受光面の光軸Ｐ方向の位置と合致するように，第１ＣＣＤ１１０Ａ（または第２ＣＣＤ１１０Ｂ）の位置が位置決めされる。
【００２２】
次に，図２〜図６に基づいて，本実施形態に係るカメラ装置１００のホルダ１５０の詳細な構成および第１ＣＣＤ１１０Ａ（または第２ＣＣＤ１１０Ｂ）の位置決め動作について説明する。
【００２３】
まず，図２（ａ）および図３に基づいて，本実施形態に係るホルダ１５０により，第１ＣＣＤ１１０Ａを保持する場合の各部材の構成について詳細に説明する。なお，図２（ａ）は，本実施形態に係るホルダ１５０にレンズ装置２００が装着された場合における撮像装置１０の構成を示す斜視図である。また，図３（ａ）は，本実施形態に係るホルダ１５０の構成を示す斜視図であり，図３（ｂ）は，本実施形態に係る第１ＣＣＤ支持基板１６０Ａの構成を示す斜視図である。
【００２４】
図２（ａ）に示すように，本実施形態に係るホルダ１５０は，レンズ装置２００のレンズ鏡胴２１０の後端部（カメラ装置１００側端部）に装着される。ホルダ１５０は，その背面側（レンズ装置２００の他側）に，２種類の第１ＣＣＤ支持基板１６０Ａまたは第２ＣＣＤ支持基板１６０Ｂを選択的に装着可能な装着部１５１を有している。光軸Ｐ方向の厚みの小さな第１ＣＣＤ１１０Ａを保持する場合，装着部１５１には第１ＣＣＤ支持基板１６０Ａが装着される。
【００２５】
図２（ａ）および図３（ａ）に示すように，装着部１５１の略中央部には，ダミーガラス１３０，第１スペーサ１４０Ａおよび第１ＣＣＤ１１０Ａが保持される保持部１５２が形成される。保持部１５２は，開口部１５２ａが形成されてダミーガラス１３０が保持される第１保持部１５２ｂと，第１スペーサ１４０Ａが保持される第２保持部１５２ｃとからなる。
【００２６】
また，装着部１５１の内周側には，２種類の第１凸部１５４と第２凸部１５５が設けられている。第１凸部１５４および第２凸部１５５は，それぞれ，装着部１５１の中心に対して略対称となるように配置されている。なお，上記凸部１５４，１５５の形状，数，配置などは，上述した場合に限られるものではない。
【００２７】
また，第１凸部１５４を貫通するようにして，装着部１５１に装着された第２ＣＣＤ支持基板１６０Ｂを固定するための固定ネジ１５６Ｂと嵌合するネジ孔１５６が形成されている。また，装着部１５１には，第１ＣＣＤ支持基板１６０Ａを固定するための固定ネジ１５８Ａと嵌合するネジ孔１５８が形成されている。さらに，装着部１５１には，第１ＣＣＤ支持基板１６０Ａの位置を位置決めするための位置決めピン１５９が装着部１５１の中心に対して互いに略対称となるように２本設けられている。なお，ネジ孔１５６，１５８の位置および数，位置決めピン１５９の位置，形状および数については特に限定されない。
【００２８】
また，図２（ａ）および図３（ｂ）に示すように，第１ＣＣＤ支持基板１６０Ａには，上述した２本の位置決めピン１５９と係合する係合孔１６２Ａ，１６４Ａが設けられており，さらに，上記固定ネジ１５８Ａが貫通する２つの貫通孔１６８Ａが形成されている。
【００２９】
ここで，第１ＣＣＤ支持基板１６０Ａには，第１ＣＣＤ支持基板１６０Ａをホルダ１５０の装着部１５１に装着したときに，ホルダ１５０の装着部１５１に形成された第１凸部１５４を避けるように２つの切り欠き１６６Ａが形成されており，また，第２凸部１５５を避けるように２つの切り欠き１６７Ａが形成されている。
【００３０】
なお，図３（ｂ）においては，第１ＣＣＤ支持基板１６０Ａと第１ＣＣＤ１１０Ａとが一体的に形成された例を示している。ただし，第１ＣＣＤ支持基板１６０Ａと第１ＣＣＤ１１０Ａとは必ずしも一体的に形成される必要はなく，第１ＣＣＤ支持基板１６０Ａが，第１ＣＣＤ１１０Ａの光軸Ｐ方向の厚みおよび結像位置に応じて形成されているものであればよい。
【００３１】
次に，図２（ａ）および図４に基づいて，本実施形態に係るホルダ１５０の装着部１５１に，第１ＣＣＤ支持基板１６０Ａを装着する動作および装着後の状態について詳細に説明する。なお，図４は，本実施形態に係るホルダ１５０に第１ＣＣＤ支持基板１６０Ａが装着された状態を示す図であって，（ａ）は斜視図であり，（ｂ）は断面図である。
【００３２】
ダミーガラス１３０および第１スペーサ１４０Ａが保持されたホルダ１５０に第１ＣＣＤ支持基板１６０Ａを装着する場合には，図２（ａ）および図４（ａ）に示すように，まず，位置決めピン１５９と係合孔１６２Ａ，１６４Ａとを係合させ，ホルダ１５０の装着部１５１内における第１ＣＣＤ支持基板１６０Ａの位置を位置決めする。
【００３３】
このとき，上述したように，第１ＣＣＤ支持基板１６０Ａは，第１凸部１５４を避けるように形成された切り欠き１６６Ａおよび第２凸部１５５を避けるように形成された切り欠き１６７Ａを有するため，第１ＣＣＤ支持基板１６０Ａは，装着部１５１内の面１５１ａおよび面１５１ｂ（面１５１ａと面１５１ｂとは光軸方向の位置が同一）に当接して，第１ＣＣＤ１１０Ａが保持される。
【００３４】
次に，この状態で，貫通孔１６８Ａを介して，固定ネジ１５８Ａとネジ孔１５８とを嵌合させることにより，第１ＣＣＤ支持基板１６０Ａは装着部１５１内で固定され，図４（ｂ）に示すように，ダミーガラス１３０，第１スペーサ１４０Ａおよび第１ＣＣＤ１１０Ａがホルダ１５０内で保持される。
【００３５】
なお，第１ＣＣＤ支持基板１６０Ａの位置決めは，本実施形態においては，ホルダ１５０の装着部１５１に形成された第１凸部１５４および第２凸部１５５と，この第１凸部１５４および第２凸部１５５を避けるように第１ＣＣＤ支持基板１６０Ａに形成された切り欠き１６６Ａ，１６７Ａとの組み合わせにより行われるが，このような凸部と切り欠きとの組み合わせに限られない。例えば，上記位置決めは，ホルダ１５０の装着部１５１に形成された凸部と，この凸部を避けるように第１ＣＣＤ支持基板１６０Ａに形成された貫通孔との組み合わせにより行われても良い。また，凸部は，ホルダ１５０の装着部１５１に形成されている場合に限られず，ホルダ１５０の装着部１５１または第１ＣＣＤ支持基板１６０Ａに形成された凹凸により，ホルダ１５０に対する第１ＣＣＤ支持基板１６０Ａの光軸Ｐ方向の取り付け位置を，第１ＣＣＤ１１０Ａの受光面がレンズ装置２００からの光学像の結像位置に合致するように位置決めされるものであれば差し支えない。
【００３６】
次に，図２（ｂ）および図５に基づいて，本実施形態に係るホルダ１５０により，第２ＣＣＤ１１０Ｂを保持する場合の各部材の構成について詳細に説明する。なお，図２（ｂ）は，本実施形態に係るホルダ１５０にレンズ装置２００が装着された状態における撮像装置１０の構成を示す斜視図である。また，図５（ａ）は，本実施形態に係るホルダ１５０の構成を示す斜視図であり，図５（ｂ）は，本実施形態に係る第２ＣＣＤ支持基板１６０Ｂの構成を示す斜視図である。
【００３７】
図２（ｂ）に示すように，本実施形態に係るホルダ１５０は，レンズ装置２００のレンズ鏡胴２１０の後端部（カメラ装置１００側端部）に装着される。ホルダ１５０は，その背面側（レンズ装置２００の他側）に，２種類の第１ＣＣＤ支持基板１６０Ａまたは第２ＣＣＤ支持基板１６０Ｂを選択的に装着可能な装着部１５１を有している。第２ＣＣＤ１１０Ｂを保持する場合，装着部１５１には第２ＣＣＤ支持基板１６０Ｂが装着される。
【００３８】
図２（ｂ）および図５（ａ）に示すように，装着部１５１の略中央部には，ダミーガラス１３０，第２スペーサ１４０Ｂおよび第２ＣＣＤ１１０Ｂが保持される保持部１５２が形成される。保持部１５２は，開口部１５２ａが形成されてダミーガラス１３０が保持される第１保持部１５２ｂと，第２スペーサ１４０Ｂが保持される第２保持部１５２ｃとからなる。
【００３９】
また，第１凸部１５４，第２凸部１５５，ネジ孔１５６，１５８，および位置決めピン１５９等の構成の詳細については上述したので省略する。
【００４０】
また，図２（ａ）および図３（ｂ）に示すように，第２ＣＣＤ支持基板１６０Ｂには，上述した２本の位置決めピン１５９と係合する係合孔１６２Ｂ，１６４Ｂが設けられており，さらに，第２ＣＣＤ支持基板１６０Ｂには，上記固定ネジ１５６Ｂが貫通する２つの貫通孔１６６Ｂが形成されている。
【００４１】
ここで，第２ＣＣＤ支持基板１６０Ｂには，上述した第１ＣＣＤ支持基板１６０Ａの場合と異なり，第２ＣＣＤ支持基板１６０Ｂをホルダ１５０の装着部１５１に装着したときに，ホルダ１５０の装着部１５１に形成された第１凸部１５４および第２凸部１５５を避けるような切り欠きや貫通孔は形成されていない。
【００４２】
なお，図３（ｂ）においては，ＣＣＤ支持基板１６０ＢとＣＣＤ１１０Ｂとが一体的に形成された例を示している。ただし，ＣＣＤ支持基板１６０ＢとＣＣＤ１１０Ｂとは必ずしも一体的に形成される必要はなく，ＣＣＤ支持基板１６０Ｂが，ＣＣＤ１１０Ｂの光軸Ｐ方向の厚みおよび結像位置に応じて形成されているものであればよい。
【００４３】
次に，図２（ｂ）および図６に基づいて，本実施形態に係るホルダ１５０の装着部１５１に，第２ＣＣＤ支持基板１６０Ｂを装着する動作および装着後の状態について詳細に説明する。なお，図６は，本実施形態に係るホルダ１５０に第２ＣＣＤ支持基板１６０Ｂが装着された状態を示す図であって，（ａ）は斜視図であり，（ｂ）は断面図である。
【００４４】
ダミーガラス１３０および第２スペーサ１４０Ｂが保持されたホルダ１５０に第２ＣＣＤ支持基板１６０Ｂを装着する場合には，図２（ｂ）および図６（ａ）に示すように，まず，位置決めピン１５９と係合孔１６２Ｂ，１６４Ｂとを係合させ，ホルダ１５０の装着部１５１内における第２ＣＣＤ支持基板１６０Ｂの位置を位置決めする。
【００４５】
このとき，上述したように，第２ＣＣＤ支持基板１６０Ｂは，第１凸部１５４および第２凸部１５５を避けるように形成された切り欠きや貫通孔を有しないため，第２ＣＣＤ支持基板１６０Ｂは，装着部１５１内の第１凸部１５４の表面および第２凸部１５５の表面（第１凸部１５４の表面と第２凸部１５５の表面とは光軸方向の位置が同一）に当接して，第２ＣＣＤ１１０Ｂが保持される。
【００４６】
次に，この状態で，貫通孔１６６Ｂを介して，固定ネジ１５６Ｂとネジ孔１５６とを嵌合させることにより，第２ＣＣＤ支持基板１６０Ｂは装着部１５１内で固定され，図６（ｂ）に示すように，ダミーガラス１３０，第２スペーサ１４０Ｂおよび第２ＣＣＤ１１０Ｂがホルダ１５０内で保持される。
【００４７】
以上説明したように，本実施形態においては，光軸Ｐ方向の厚みおよび結像位置の異なる２種類の第１ＣＣＤ１１０Ａ，第２ＣＣＤ１１０Ｂに対応して形成された第１ＣＣＤ支持基板１６０Ａ，第２ＣＣＤ支持基板１６０Ｂを，ホルダ１５０に選択的に装着可能とし，ホルダ１５０および２種類の基板１６０Ａ，１６０Ｂの形状を工夫することにより，同一のホルダ１５０内に光軸Ｐ方向の厚みや結像位置の異なる２種類のＣＣＤ１１０Ａ，１１０Ｂを保持しても，ＣＣＤ１１０Ａ，１１０Ｂの受光面の位置をレンズ装置２００からの光学像の結像位置に合致させることができる。具体的には，ホルダ１５０の装着部１５１内に第１凸部１５４および第２凸部１５５を設けるとともに，第１ＣＣＤ支持基板１６０Ａには，この２種類の凸部１５４，１５５を避けるように形成された切り欠き１６６Ａ，１６７Ａを設け，第２ＣＣＤ支持基板１６０Ｂにはかかる切り欠きを設けないようにすることにより，光軸Ｐ方向の厚みおよび結像位置の異なる２種類の第１ＣＣＤ１１０Ａ，第２ＣＣＤ１１０Ｂのいずれを使用した場合でも，ＣＣＤ１１０Ａ，１１０Ｂの受光面の位置をレンズ装置２００からの光学像の結像位置に合致させることができる。
【００４８】
（第２の実施形態）
以上，本発明の第１の実施形態に係る撮像装置１０について説明したが，次に，図７に基づいて，本発明の第２の実施形態に係る撮像装置２０について説明する。なお，図７は，本実施形態に係る撮像装置２０の全体構成を示す断面図である。
【００４９】
本実施形態に係る撮像装置２０は，スペーサ１４０の形状を工夫することにより，具体的には，スペーサ１４０に段差部１４２を設けることにより，上述した第１の実施形態の場合と異なり，光軸Ｐ方向の厚みの異なる２種類の第１ＣＣＤ１１０Ａ，第２ＣＣＤ１１０Ｂを使用した場合でも，同一のスペーサ１４０を使用することができる。
【００５０】
すなわち，光軸Ｐ方向の厚みの小さな第１ＣＣＤ１１０Ａを使用する場合には，ダミーガラス１３０をスペーサ１４０の段差部１４２以外の面に当接させ，光軸Ｐ方向の厚みの大きな第２ＣＣＤ１１０Ｂを使用する場合には，ダミーガラス１３０をスペーサ１４０の段差部１４２に当接させることにより，光軸Ｐ方向の厚みの異なる２種類の第１ＣＣＤ１１０Ａ，第２ＣＣＤ１１０Ｂを使用した場合でも，同一のスペーサ１４０を使用して，ＣＣＤ１１０Ａ，１１０Ｂの受光面の位置をレンズ装置２００からの光学像の結像位置に合致させることができる。
【００５１】
なお，スペーサ１４０以外の構成については，上述した第１の実施形態の場合と同様であるので，詳細な説明は省略する。
【００５２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５３】
例えば，上述した実施形態においては，カバーガラス１２０とダミーガラス１３０の厚みが同じ場合について説明したが，カバーガラス１２０とダミーガラス１３０の厚みの合計が同じであれば，光軸方向の厚みや結像位置の異なる撮像素子を使用したときに，カバーガラス１２０とダミーガラス１３０個々の厚みが異なっていても良い。
【００５４】
また，例えば，上述した実施形態においては，ホルダ１５０は，光軸Ｐ方向の厚みの異なる２種類のＣＣＤ１１０Ａ，１１０Ｂに応じて形成された２種類のＣＣＤ支持基板１６０Ａ，１６０Ｂを選択的に装着可能な場合について説明したが，ホルダに装着できる支持基板は２種類には限られず，３種類以上の支持基板を選択的に装着可能なように構成しても良い。
【図面の簡単な説明】
【００５５】
【図１】本発明の第１の実施形態に係る撮像装置の全体構成を示す断面図である。
【図２】同実施形態に係るホルダにレンズ装置が装着された状態における撮像装置の構成を示す斜視図である。
【図３】（ａ）は，同実施形態に係るホルダの構成を示す斜視図であり，（ｂ）は，同実施形態に係る第１ＣＣＤ支持基板の構成を示す斜視図である。
【図４】同実施形態に係る第１ＣＣＤ支持基板が装着された状態を示す図であって，（ａ）は斜視図であり，（ｂ）は断面図である。
【図５】（ａ）は，同実施形態に係るホルダの構成を示す斜視図であり，（ｂ）は，同実施形態に係る第２ＣＣＤ支持基板の構成を示す斜視図である。
【図６】同実施形態に係る第２ＣＣＤ支持基板が装着された状態を示す図であって，（ａ）は斜視図であり，（ｂ）は断面図である。
【図７】本発明の第２の実施形態に係る撮像装置の全体構成を示す断面図である。
【符号の説明】
【００５６】
１０      撮像装置
１００      カメラ装置
１１０Ａ      第１ＣＣＤ
１１０Ｂ      第２ＣＣＤ
１２０      カバーガラス
１３０      ダミーガラス
１４０Ａ      第１スペーサ
１４０Ｂ      第２スペーサ
１５０      ホルダ
１６０Ａ      第１ＣＣＤ支持基板
１６０Ｂ      第２ＣＣＤ支持基板
２００      レンズ装置
２２２      第１レンズ
２２４      第２レンズ
【図１】
0004714619.tif 000002
【図２】
0004714619.tif 000003
【図３】
0004714619.tif 000004
【図４】
0004714619.tif 000005
【図５】
0004714619.tif 000006
【図６】
0004714619.tif 000007
【図７】
0004714619.tif 000008